(57)【特許請求の範囲】
【請求項１】
エアゾール容器の頭頂部に下端部分で装着される円筒状周面部及びその上端の上面周辺部を有する基部と、その上端部分に揺動可能に周面部の下端部分で連結され、かつ内側で基端部がエアゾール容器頭頂部から突出するステムに嵌着して、先端に噴射口を有するノズルが設けられたボタン部とを備えると共に、このボタン部の周面部におけるノズルに対して反連結側下端に、ガス抜き機構として係止片が折り曲げ可能に下方へ延設されることにより、この係止片が上方へ折返された状態で基部に係止されてボタン部を押下げ操作位置に拘束するようになったエアゾール容器用ガス抜き機構付き噴射ヘッドにおいて、
係止片の長さは、その先端の揺動経路が上面周辺部を通過するように設定され、
反連結側の前記上面周辺部に、基部中心側へ斜め下に向かう傾斜面及びその先端部に突出部を形成すると共に、前記係止片の縦方向の中間位置に、この中間位置よりも基端側の前記係止片部分が前記傾斜面に弾接した状態で前記突出部が係入する係入溝を形成し、
ボタン部を上下に揺動させることにより、前記係止片を前記上面周辺部の上方へ脱出させた位置から通常位置へ復帰させる際に、前記係止片の先端が前記上面周辺部に当接して自動的に折返され、前記ボタン部をさらに押下げ操作すると前記係止片が前記傾斜面を摺動する過程で前記突出部が前記係入溝に自動的に係入することを特徴とするエアゾール容器用ガス抜き機構付き噴射ヘッド。
【発明の詳細な説明】
【０００１】
【発明の属する技術分野】
本発明は、エアゾール容器の頭頂部に装着される基部と、その上端部分に揺動可能に連結され、かつ内側でステムに嵌着し、先端に噴射口を有するノズルが形成されたボタン部とを備えると共に、このボタン部の周面部の反連結側下端に、ガス抜き機構として係止片が折り曲げ可能に下方へ延設されることにより、この係止片が上方へ折返されて基部に係止されてボタン部を押下げ操作位置に拘束するようになったエアゾール容器用ガス抜き機構付き噴射ヘッドに関するものである。
【０００２】
【従来の技術】
この種のエアゾール容器に充填される噴射剤である液化ガス又は圧縮ガスの容器廃棄時のガス抜き機構付き噴射ヘッドとして、ボタン部の周面部の下端に、ガス抜き機構として係止片が下方へ折り曲げ可能に延設されることにより、この係止片を上方へ折返してボタン部を押し下操作した状態で、噴射ヘッドの基部のフランジ状上面周辺部に係止するようにしたのが、実開平４-４１８８４号公報により周知である。これにより、係止片を基部内に隠しておき、ガス抜き時に係止片を上方へ折返してボタン部を押下げ操作によりステムを連続的に開放させる位置に保持させて噴射剤の全量廃棄が行われる。
【０００３】
【発明が解決しようとする課題】
しかしながら、この場合係止片の先端を単にフランジ状の周面部の裏面に係止させるもので、ボタン部の押下げ操作により、係止片の下端を基部の上面周辺部に当接させて折返して、さらに係止片を基部に係止させる動作を自動的に行わせる点については意識されていない。
【０００４】
本発明は、このような点に鑑みて、ボタン部の上下の揺動操作のみで、その下方に隠した係止片によりボタン部をガス抜きを行わせる押下げ位置に確実に自動係止し得る冒頭に述べた類のエアゾール容器用ガス抜き機構付き噴射ヘッドを提供することを目的とする。
【０００５】
【課題を解決するための手段】
本発明は、この目的を達成するために、請求項１により、エアゾール容器の頭頂部に下端部分で装着される円筒状周面部及びその上端の上面周辺部を有する基部と、その上端部分に揺動可能に周面部の下端部分で連結され、かつ内側で基端部がエアゾール容器頭頂部から突出するステムに嵌着して、先端に噴射口を有するノズルが設けられたボタン部とを備えると共に、このボタン部の周面部におけるノズルに対して反連結側下端に、ガス抜き機構として係止片が折り曲げ可能に下方へ延設されることにより、この係止片が上方へ折返された状態で基部に係止されてボタン部を押下げ操作位置に拘束するようになったエアゾール容器用ガス抜き機構付き噴射ヘッドにおいて、係止片の長さは、その先端の揺動経路が上面周辺部を通過するように設定され、反連結側の上面周辺部に、基部中心側へ斜め下に向かう傾斜面及びその先端部に突出部を形成すると共に、係止片の縦方向の中間位置に、この中間位置よりも基端側の係止片部分が傾斜面に弾接した状態で突出部が係入する係入溝を形成し、ボタン部を上下に揺動させることにより、係止片を上面周辺部の上方へ脱出させた位置から通常位置へ復帰させる際に、係止片の先端が上面周辺部に当接して自動的に折返され、ボタン部をさらに押下げ操作すると係止片が傾斜面を摺動する過程で突出部が係入溝に自動的に係入することを特徴とする。
【０００６】
ガス抜きを行う際には、ボタン部の上方への揺動で係止片を上面周辺部の上方へ脱出させ、次いで下方への揺動で通常位置へ復帰させる際に、係止片の先端が上面周辺部に当接して自動的に折返され、続いてボタン部をさらに押下げ操作すると係止片の裏面が傾斜面に沿って滑動し、その摺動過程で突出部が係入溝に係入して、係止片を自動的に係止する。
【０００７】
【発明の実施の形態】
図１乃至図３を基に本発明の実施の形態の一例によるエアゾール容器用ガス抜き機構付き噴射ヘッドとして上向き噴射を行うガス抜き機構付スパウトを説明する。円筒状のエアゾール容器１の頭頂部に装着されたマウンティングカップ２は、弁構造を内部に保持して上方付勢状態のステム３を突出させている。
【０００８】
スパウトは、マウンティングカップ２に装着される円筒状基部１０と、その上面周辺部１１に幅狭の連結部２６により周面部２２の下端部で揺動可能に連結され、かつ内部で基端部がステム３に嵌着して、上端に噴射口を有するパイプ状のノズル部分２１ａを上方へ突設させるノズル２１が形成されたボタン部２０とより合成樹脂により一体成形で構成されている。ボタン部２０の上面部には、ノズル部分２１ａを連結部２６側へ変位させて操作部２８が形成されている。ノズル部分２１ａの内部には、先細のパイプ部２１ｂが形成されている。
【０００９】
基部１０は、上面周辺部１１の外周を包囲し、かつ下端でエアゾール容器１の肩部の下端に達する外側の周面部１２と、下端でマウンティングカップ２の外周凹部に係合するリング状の突起部１３ａを備えた内筒状の内側の周面部１３を備えている。ボタン部２０は、操作部２８の押下げ操作で細隙２９を置いて下方へ揺動させることによりステム３を下動させてパイプ部２１ｂの先端から内容物の噴射を行う。
【００１０】
周面部２２におけるノズル２１に対して反連結側下端には、ガス抜き機構として折曲げ可能に係止片４０が下方へ延設されている。この係止片の長さは、その先端の揺動経路が上面周辺部１１を通過するように設定されている。係止片４０の揺動経路の反連結側上面周辺部１１には、ステム３、即ち基部１０の中心側へ斜め下に向かう傾斜面４６及びその先端部に突出部４５が形成されている。係止片４０の裏面には、係入溝４１が縦方向中間位置から先端に向けて段差状に薄くされて形成されている。
【００１１】
ガス抜きを行う際には、ボタン部２０をその突出部２８ａを摘んで持ち上げて係止片４０の先端を上面周辺部１１の上方へ脱出させ、次いで通常位置に復帰させる過程で、係止片４０はその先端が上面周辺部１１に当接して端部４９を支点として自動的に折返される。続いて、ボタン部２０で押下げ操作すると係止片４０の裏面が傾斜面４６に沿って滑動し、突出部４５が係入溝４１の基端に自動的に滑入して、係止片４０が係止される（図２参照）。この状態で、係入溝４１の先方領域が傾斜面４６に弾接した状態で突出部４５に係止され、したがって押下げ操作により確実に自動係止される。
【００１２】
【発明の効果】
本発明によれば、ボタン部の上下の揺動操作により、基部の上面周辺部への当接で自動的に折り曲げられた係止片が途中位置で残り領域を基部に弾接させた状態で係止され、したがってボタン部のガス抜き位置への自動拘束が容易、かつ確実に行われる。
【図面の簡単な説明】
【図１】本発明の実施の形態によるエアゾール容器用ガス抜き機構付き噴射ヘッドの断面図である。
【図２】同噴射ヘッドを押下げ位置へ拘束した状態を示す断面図である。
【図３】同噴射ヘッドの要部の斜視図である。
【符号の説明】
３  ステム
１０  基部
１１  上面周辺部
１２、１３、２２  周面部
２０  ボタン部
４０  係止片
４１  係入溝
４５  突出部
４６  傾斜面
【図１】
0003621361.tif 000002
【図２】
0003621361.tif 000003
【図３】
0003621361.tif 000004